【手続補正書】
【提出日】平成22年9月6日(2010.9.6)
【手続補正１】
【補正対象書類名】明細書
【補正対象項目名】００５５
【補正方法】変更
【補正の内容】
【００５５】
上記から、本発明の新規な概念の真の精神および範囲から逸脱することなく多くの改変および変形を達成できることが認められよう。説明した具体的な態様に関しては何らの制限も意図されずまたは暗示されるものでないことを理解すべきである。開示は、添付の特許請求の範囲によって特許請求の範囲の範囲内の全てのこのような改変に及ぶことが意図される。
本発明は以下の態様を有する。
［１］  キャリア層；
該キャリア層に適用されたリリース層；
該リリース層に適用された保護層；
該保護層に適用された金属化性層；
該金属化性層に適用された金属層；
該金属層の第１の部分に適用された金属転写接着剤層；および
該金属層の第２の部分に適用された非金属転写層；
を含み、該金属転写接着剤層が、ラベルへの熱および圧力の適用時に金属層に接着するように構成されており、そして、該非金属転写層が、ラベルへの熱および圧力の適用時に金属層に接着しないように構成されている、基材に適用するための選択的に金属化された熱転写ラベル。
［２］  キャリア層がポリエステルフィルムを含む、上記［１］に記載の選択的に金属化された熱転写ラベル。
［３］  リリース層が、セルロースアセテートレジンを含む、上記［１］に記載の選択的に金属化された熱転写ラベル。
［４］  保護層が、ドライコート質量約０．５０ポンド／３０００平方フィートを有する、上記［１］に記載の選択的に金属化された熱転写ラベル。
［５］  金属化性層が保護層と同じ材料から形成されており、そして金属化性層および保護層が別個の層として形成されている、上記［１］に記載の選択的に金属化された熱転写ラベル。
［６］  金属化性層および保護層がニトロセルロース系材料から形成されている、上記［５］に記載の選択的に金属化された熱転写ラベル。
［７］  ニトロセルロース系材料が、メチルエチルケトンおよびトルエンのうち一方または両方の溶媒中にある、上記［６］に記載の選択的に金属化された熱転写ラベル。
［８］  金属化性層が着色されている、上記［１］に記載の選択的に金属化された熱転写ラベル。
［９］  金属化性層が、ドライコート質量約０．５０ポンド／３０００平方フィートを有する、上記［１］に記載の選択的に金属化された熱転写ラベル。
［１０］  金属層がアルミニウムを含む、上記［１］に記載の選択的に金属化された熱転写ラベル。
［１１］  金属転写接着剤層がビニル系レジンから構成されている、上記［１］に記載の選択的に金属化された熱転写ラベル。
［１２］  非金属転写層が、ビニル系レジンを有するインクを含む、上記［１］に記載の選択的に金属化された熱転写ラベル。
［１３］  金属化性層および金属層のうち一方または両方にホログラフィー像が形成されている、上記［１］に記載の選択的に金属化された熱転写ラベル。
［１４］  基材の第１の部分の上に配置された非金属転写インク層；
基材の第２の部分の上に配置された金属転写接着剤層；
該金属転写接着剤層の上に配置された金属層；
該金属層の上に配置された金属化性層；および
該金属化性層の上に配置された保護層；
を含む、熱および圧力を用いて基材に適用される選択的に金属化された熱転写ラベル。
［１５］  金属化性層が保護層と同じ材料から形成されており、そして金属化性層および保護層が別個の層として形成されている、上記［１４］に記載の、基材に適用される選択的に金属化された熱転写ラベル。
［１６］  金属化性層および保護層がニトロセルロース系材料から形成されている、上記［１５］に記載の、基材に適用される選択的に金属化された熱転写ラベル。
［１７］  ニトロセルロース系材料が、メチルエチルケトンおよびトルエンのうち一方または両方の溶媒中にある、上記［１６］に記載の、基材に適用される選択的に金属化された熱転写ラベル。
［１８］  金属化性層および金属層のうち一方または両方にホログラフィー像が形成されている、上記［１４］に記載の、基材に適用される選択的に金属化された熱転写ラベル。
［１９］  キャリア層であってその上にリリース層を有するものを準備する工程；
該リリース層に保護層を適用する工程；
該保護層に金属化性層を適用する工程；
該金属化性層に金属層を適用する工程；
該金属層の第１の部分に金属転写接着剤を適用する工程；および
該金属層の第２の部分に非金属転写層を適用する工程；
を含み、該金属転写接着剤層を、ラベルへの熱および圧力の適用時に金属層に接着するように構成し、そして、該非金属転写層を、ラベルへの熱および圧力の適用時に金属層に接着しないように構成する、選択的に金属化された熱転写ラベルの製造方法。
［２０］  金属化性層を保護層と同じ材料から形成し、そして金属化性層および保護層を別個の層として適用する、上記［１９］に記載の選択的に金属化された熱転写ラベルの製造方法。
［２１］  金属化性層および保護層をニトロセルロース系材料から形成する、上記［２０］に記載の、基材に適用される選択的に金属化された熱転写ラベル。
［２２］  ニトロセルロース系材料が、メチルエチルケトンおよびトルエンのうち一方または両方の溶媒中にある、上記［２１］に記載の、基材に適用される選択的に金属化された熱転写ラベル。
［２３］  金属化性層および金属層のうち一方または両方にホログラフィー像を形成する、上記［１９］に記載の、基材に適用される選択的に金属化された熱転写ラベル。
［２４］  キャリア層、該キャリア層に適用されたリリース層、該リリース層に適用された保護層、該保護層に適用された金属化性層、該金属化性層に適用された金属層、該金属層の第１の部分に適用された金属転写接着剤層、および該金属層の第２の部分に適用された非金属転写層を有する、選択的に金属化された熱転写ラベルを準備する工程であって、金属転写接着剤層を、ラベルへの熱および圧力の適用時に金属層に接着するように構成し、そして、該非金属転写層を、ラベルへの熱および圧力の適用時に金属層に接着しないように構成する工程；
基材を準備する工程；
該基材上に該ラベルを配置する工程；
該ラベルに熱および圧力を適用する工程；ならびに
キャリア層、リリース層の少なくとも一部、金属化性層の少なくとも一部、保護層の少なくとも一部、金属化性層の少なくとも一部および金属層の少なくとも一部を除去する工程；
を含む、選択的に金属化された熱転写ラベルを基材に適用する方法。
［２５］  金属化性層を保護層と同じ材料から形成し、そして金属化性層および保護層を別個の層として適用する、選択的に金属化された熱転写ラベルを基材に適用する方法。
【手続補正２】
【補正対象書類名】特許請求の範囲
【補正対象項目名】全文
【補正方法】変更
【補正の内容】
【特許請求の範囲】
【請求項１】
キャリア層；
該キャリア層に適用されたリリース層；
該リリース層に適用された保護層；
該保護層に適用された金属化性層；
該金属化性層に適用された金属層；
該金属層の第１の部分に適用された金属転写接着剤層；および
該金属層の第２の部分に適用された非金属転写層；
を含み、該金属転写接着剤層が、ラベルへの熱および圧力の適用時に金属層に接着するように構成されており、そして、該非金属転写層が、ラベルへの熱および圧力の適用時に金属層に接着しないように構成されている、基材に適用するための選択的に金属化された熱転写ラベル。
【請求項２】
基材の第１の部分の上に配置された非金属転写インク層；
基材の第２の部分の上に配置された金属転写接着剤層；
該金属転写接着剤層の上に配置された金属層；
該金属層の上に配置された金属化性層；および
該金属化性層の上に配置された保護層；
を含む、熱および圧力を用いて基材に適用される選択的に金属化された熱転写ラベル。
【請求項３】
キャリア層であってその上にリリース層を有するものを準備する工程；
該リリース層に保護層を適用する工程；
該保護層に金属化性層を適用する工程；
該金属化性層に金属層を適用する工程；
該金属層の第１の部分に金属転写接着剤を適用する工程；および
該金属層の第２の部分に非金属転写層を適用する工程；
を含み、該金属転写接着剤層を、ラベルへの熱および圧力の適用時に金属層に接着するように構成し、そして、該非金属転写層を、ラベルへの熱および圧力の適用時に金属層に接着しないように構成する、選択的に金属化された熱転写ラベルの製造方法。
【請求項４】
キャリア層、該キャリア層に適用されたリリース層、該リリース層に適用された保護層、該保護層に適用された金属化性層、該金属化性層に適用された金属層、該金属層の第１の部分に適用された金属転写接着剤層、および該金属層の第２の部分に適用された非金属転写層を有する、選択的に金属化された熱転写ラベルを準備する工程であって、金属転写接着剤層を、ラベルへの熱および圧力の適用時に金属層に接着するように構成し、そして、該非金属転写層を、ラベルへの熱および圧力の適用時に金属層に接着しないように構成する工程；
基材を準備する工程；
該基材上に該ラベルを配置する工程；
該ラベルに熱および圧力を適用する工程；ならびに
キャリア層、リリース層の少なくとも一部、金属化性層の少なくとも一部、保護層の少なくとも一部、金属化性層の少なくとも一部および金属層の少なくとも一部を除去する工程；
を含む、選択的に金属化された熱転写ラベルを基材に適用する方法。